(57)【要約】【課題】蒸発器の着霜時における放熱器の水側流路の凍結を防止しながら省エネルギー性に優れた温水生成装置を提供すること。【解決手段】圧縮機２１、冷媒の流れ方向の流路切替手段２６、冷媒と液体とが熱交換するプレート式の第１熱交換器２２、減圧装置２３、冷媒と空気とが熱交換する第２熱交換器２４が順に冷媒配管で環状に接続された冷媒回路２と、液体が流れる液体経路３ａと、を備え、第１熱交換器２２と減圧装置２３との間の冷媒回路２には、冷媒と液体とが熱交換する第３熱交換器２５が設けられ、液体経路３ａは、液体が、第３熱交換器２５、第１熱交換器２２の順に流通するように構成されているので、第１熱交換器２２に流入する冷媒の乾き度が上昇して、第１熱交換器２２及び第３熱交換器２５を流通する液体の温度低下が抑制されるので、液体の凍結を防止でき、また、圧縮機２１への液戻りが抑制され、機器の省エネルギー性が向上する。【選択図】図１
2015172452.tif 000002
【特許請求の範囲】
【請求項１】
冷媒を圧縮する圧縮機、前記冷媒の流れ方向を切り替える流路切替手段、前記冷媒と液体との間で熱交換を行うプレート式の第１熱交換器、前記冷媒を減圧する減圧装置、前記冷媒と空気との間で熱交換を行う第２熱交換器が順に冷媒配管で環状に接続された冷媒回路と、
前記液体が流れる液体経路と、を備え、
前記第１熱交換器と前記減圧装置との間の前記冷媒回路には、前記冷媒と前記液体との間で熱交換を行う第３熱交換器が設けられ、
前記液体経路は、前記液体が、前記第３熱交換器、前記第１熱交換器の順に流通するように構成されていることを特徴とする、温水生成装置。
【請求項２】
前記第３熱交換器を流通する前記液体の平均流速は、前記第１熱交換器を流通する前記液体の平均流速よりも速いことを特徴とする、請求項１に記載の温水生成装置。
【請求項３】
前記第３熱交換器は、多重管式の熱交換器であることを特徴とする、請求項１または２に記載の温水生成装置。
【請求項４】
前記第１熱交換器と前記第３熱交換器の間の前記冷媒回路を流れる前記冷媒の過熱度を検出する過熱度検出手段と、
少なくとも、前記圧縮機から吐出された前記冷媒を、前記流路切替手段を介して前記第２熱交換器に流入させる除霜運転を実行する制御装置と、を備え、
前記制御装置は、前記除霜運転を実行中に、前記過熱度検出手段で検出された前記冷媒の過熱度が、所定の過熱度となるように前記圧縮機の回転数を調整することを特徴とする、請求項１〜３に記載の温水生成装置。
【請求項５】
前記液体経路における前記第１熱交換器または前記第３熱交換器に流入する前記液体の温度を検出する温度センサを備え、
前記制御装置は、前記除霜運転の実行中に、前記温度センサで検出された前記液体の温度が所定の温度未満である場合に、前記冷媒回路を循環する前記冷媒の循環量が減少するように前記圧縮機の回転数を調整することを特徴とする、請求項１〜４に記載の温水生成装置。
【請求項６】
前記液体経路にポンプを備え、
前記制御装置は、前記除霜運転の実行中に、前記温度センサで検出された前記液体の温度が所定の温度未満である場合に、前記液体経路を流れる前記液体の流量が増加するように前記ポンプの回転数を調整することを特徴とする、請求項１〜５に記載の温水生成装置。
【発明の詳細な説明】
【技術分野】
【０００１】
本発明は、冷凍サイクルを利用した温水生成装置において、特に、蒸発器の除霜運転に適した装置構成および制御方法に関する。
【背景技術】
【０００２】
従来、温水生成装置は、圧縮機と冷媒−液体熱交換器（放熱器）と膨張弁と冷媒−空気熱交換器（蒸発器）とを配管接続し、循環する冷媒の熱を放熱器で利用側熱媒体である液体に放熱して暖房や給湯に利用している。
【０００３】
ここで、利用側熱媒体を加熱するための熱源の大半は、蒸発器において空気から吸熱する。吸熱時は、蒸発器の配管内を低温冷媒が通過して外部空気と熱交換を行うため、空気中の水分が蒸発器表面で凝結して着霜する。蒸発器に着霜すると伝熱効率の低下により吸熱量が減少し、機器の運転効率が低下するので、一般的に除霜運転が行われる。（例えば、特許文献１参照）。
【０００４】
図７は、特許文献１に記載された従来の温水生成装置を示すものである。
【０００５】
図７に示すように、温水生成装置１００は、冷媒を循環させる冷媒回路１１０と、水を流通させる水回路１２０を備えている。
【０００６】
冷媒回路１１０は、圧縮機１１１、冷媒と水との間で熱交換する放熱器１１２、蓄熱用伝熱管１１３と膨張弁１１４、冷媒と空気との間で熱交換する蒸発器１１５が配管により環状に接続され、冷媒回路１１０には、加熱運転と除霜運転を切り換えるための四方弁１１６が設けられている。
【０００７】
水回路１２０は、図示しない水源（たとえば、公共の水道管等）と放熱器１１２とを連通する水入口配管１２１と、貯湯タンク１４０と、放熱器１１２と貯湯タンク１４０とを連通する水出口配管１２２と、を有している。
【０００８】
水入口配管１２１には給水ポンプ１２３が設置され、水入口配管１２１は給水ポンプ１２３と放熱器１１２との間において分岐し、蓄熱水槽１３０に連通する蓄熱水槽給水管１３１が接続されている。
【０００９】
蓄熱水槽１３０は蓄熱用伝熱管１１３を収納するものであって、水を受け入れるための蓄熱水槽給水管１３１と、水を排出するための蓄熱水槽排水管１３２とが接続され、前者には蓄熱水槽給水開閉弁１３３が、後者には蓄熱水槽排水開閉弁１３４がそれぞれ設置されている。
【００１０】
蓄熱水槽１３０の貯水時は、蓄熱水槽給水開閉弁１３３を開閉して蓄熱水槽に水源の水を貯める。また、蓄熱水槽１３０に貯めた水を排水する場合は蓄熱水槽排水開閉弁１３４を開放する。
【００１１】
給湯加熱運転時は、圧縮機１１１から吐出された冷媒が、四方弁１１６を通って水熱交換器１１２に入り、水へ放熱（水を加熱）した後、高温の液冷媒となって蓄熱用伝熱管１１３に流入する。蓄熱用伝熱管１１３に流入した冷媒は、蓄熱水槽１３０の水が冷媒温度付近まで上昇するまでの間、放熱して低温の液冷媒となり、膨張弁１１４で減圧された後、蒸発器１１５で空気から吸熱（空気を冷却）し、四方弁１１６を経て圧縮機１１１に戻
る。
【００１２】
一方、水回路１２０においては、水は、給水ポンプ１２３によって水入口配管１２１を通って放熱器１１２に流入する。そして、冷媒から温熱を受け取って加熱され、温水として水出口配管１２２を通って貯湯タンク１４０へ送られる。
【００１３】
除霜運転時は、四方弁１１６を切り替えて、圧縮機１１１において圧縮された高温のガス冷媒を蒸発器１１５に直接流す逆サイクル除霜を実行している。
【００１４】
すなわち、圧縮機１１１を出た高温の冷媒は、四方弁１１６を通って蒸発器１１５に入り、蒸発器１１５で放熱して霜を融かした（除霜した）後、低圧の冷媒となって膨張弁１１４に流入する。膨張弁１１４を通過した冷媒は蓄熱伝熱管１１３に流入し、蓄熱水槽１３０内の温水から吸熱する。そして、放熱器１１２を通過し、四方弁１１６を経由して圧縮機１１１に戻るようになっている。
【先行技術文献】
【特許文献】
【００１５】
【特許文献１】特許第５２６４９７３号公報
【発明の概要】
【発明が解決しようとする課題】
【００１６】
しかしながら、前記従来の温水生成装置において、外気温度が低い条件で逆サイクル除霜を行うと、低温（マイナス温度域）となった液冷媒が蓄熱用伝熱管に流入する。蓄熱水槽内に貯められた水（貯留水）は蓄熱用伝熱管を流れる冷媒に吸熱され温度が低下するが、蓄熱水槽内では貯留水の対流が生じず、または、対流が生じていたとしても自然対流による微小な流れであるので、貯留水は蓄熱伝熱管の周囲から順に凍結しやすく、蓄熱槽や伝熱管の信頼性が低下する。
【００１７】
また、貯留水の凍結が生じた場合は、伝熱性能が著しく低下して、その下流側の放熱器に低乾き度の二相冷媒が流入する。したがって、放熱器の内部で冷媒と水とが熱交換した場合には、冷媒が水から吸熱することで水の温度が低下して、放熱器内部で水が凍結する場合があるとともに、圧縮機に液冷媒が戻る場合もあり、機器の信頼性が低下するという課題を有していた。
【００１８】
また、蓄熱用伝熱管は、給湯加熱運転時において、蓄熱槽内の貯留水温度が冷媒温度付近まで上昇した後は熱交換器として機能しないため、給湯加熱運転時の性能向上には寄与しない。
【００１９】
本発明は、前記従来の課題を解決するもので、蒸発器の着霜時における放熱器の水側流路の凍結を防止しながら省エネルギー性に優れた温水生成装置を提供することを目的とする。
【課題を解決するための手段】
【００２０】
前記従来の課題を解決するために本発明の温水生成装置は、冷媒を圧縮する圧縮機、前記冷媒の流れ方向を切り替える流路切替手段、前記冷媒と液体との間で熱交換を行うプレート式の第１熱交換器、前記冷媒を減圧する減圧装置、前記冷媒と空気との間で熱交換を行う第２熱交換器が順に冷媒配管で環状に接続された冷媒回路と、前記液体が流れる液体回路と、を備え、前記第１熱交換器と前記減圧装置との間の前記冷媒回路には、前記冷媒と前記液体との間で熱交換を行う第３熱交換器が設けられ、前記液体回路は、前記液体が、前記第３熱交換器、前記第１熱交換器の順に流通するように構成されていることを特徴
とするものである。
【００２１】
これによって、逆サイクル除霜運転時に第２熱交換器（蒸発器）で放熱し低温となった冷媒は、まず第３熱交換器（補助熱交換器）に流入する。補助熱交換器に流入した冷媒は、液体から吸熱することで蒸発して冷媒の乾き度が大きくなる。一方、液体は放熱により温度低下するが、流入する液体は利用側の負荷（たとえば床暖房パネル）から戻る比較的高温のものであり、液体経路中を循環しているので補助熱交換器内部の局所的な液体の温度低下による凍結が抑制される。
【００２２】
そして、補助熱交換器から流出した高乾き度または過熱状態の冷媒はプレート式の第１熱交換器（放熱器）に流入し、補助熱交換器から流出した温水と熱交換される。流入した冷媒の状態が高乾き度の場合は、液成分が蒸発したあと過熱冷媒となり、液体の温度付近まで温度上昇する。また、過熱状態で流入した場合は顕熱変化のみとなり液体の温度付近まで温度上昇する。
【００２３】
つまり、除霜運転時に放熱器内を流れる冷媒の大半が熱通過率の低い顕熱熱交換域であるとともに、顕熱変化による温度上昇で冷媒平均温度が十分高くなることで熱流束が小さくなり、放熱器内を流通する液体の温度低下が抑制されるので凍結を防止できる。また、除霜運転中における圧縮機の吸入冷媒の状態を、過熱状態とすることができる。
【００２４】
また、加熱運転時においては、放熱器で凝縮した冷媒が補助熱交換器に流入して、さらに液体と熱交換されるので、凝縮能力が向上して圧縮機の吐出圧力が低下するので、加熱運転時においても機器の省エネ性が向上する。
【発明の効果】
【００２５】
本発明によれば、蒸発器の着霜時における放熱器の水側流路の凍結を防止しながら省エネルギー性に優れた温水生成装置を提供することができる。
【図面の簡単な説明】
【００２６】
【図１】本発明の実施の形態１における温水生成装置の概略構成図
【図２】同温水生成装置の補助熱交換器（第３熱交換器）の概略構成図
【図３】同温水生成装置のプレート式熱交換器（第１熱交換器）の水側流路における水の流線と死水域とを示す概略図
【図４】同温水生成装置の除霜運転時のモリエル線図
【図５】同温水生成装置の二重管熱交換器（第３熱交換器）の温水側流路における水の流線の概略図
【図６】同温水生成装置の除霜運転制御のフローチャート
【図７】従来の温水生成装置の概略構成図
【発明を実施するための形態】
【００２７】
第１の発明は、冷媒を圧縮する圧縮機、前記冷媒の流れ方向を切り替える流路切替手段、前記冷媒と液体との間で熱交換を行うプレート式の第１熱交換器、前記冷媒を減圧する減圧装置、前記冷媒と空気との間で熱交換を行う第２熱交換器が順に冷媒配管で環状に接続された冷媒回路と、前記液体が流れる液体回路と、を備え、前記第１熱交換器と前記減圧装置との間の前記冷媒回路には、前記冷媒と前記液体との間で熱交換を行う第３熱交換器が設けられ、前記液体回路は、前記液体が、前記第３熱交換器、前記第１熱交換器の順に流通するように構成されていることを特徴とする温水生成装置である。
【００２８】
これにより、逆サイクル除霜運転時に第２熱交換器で放熱し低温となった冷媒は、まず第３熱交換器（補助熱交換器）に流入する。補助熱交換器は、たとえば二重管熱交換器の
ように、温水側流路の流速分布が小さく局所的な死水域が生じにくい熱交換器を使用することが好ましく、補助熱交換器に流入した冷媒は、液体（温水）から吸熱することで蒸発し、冷媒の乾き度が大きくなる。一方、温水は放熱により温度低下するが、流入する温水は利用側の負荷（たとえば床暖房パネル）から戻る比較的高温の温水であるとともに、常に液体回路（温水配管）中を循環しているので補助熱交換器内部の局所的な水温の低下による凍結が抑制される。
【００２９】
そして、補助熱交換器から流出した高乾き度または過熱状態の冷媒はプレート式の第１熱交換器（放熱器）に流入し、補助熱交換器から流出した温水と熱交換される。流入した冷媒状態が高乾き度の場合は、液成分が蒸発した後、過熱冷媒となり、温水温度付近まで温度上昇する。また、過熱状態で流入した場合は顕熱変化のみとなり温水温度付近まで温度上昇する。
【００３０】
つまり、放熱器内では大半が熱通過率の低い顕熱熱交換域であるとともに、顕熱変化による温度上昇で冷媒平均温度が十分高くなることで熱流束が小さくなり、放熱器内を流通する温水の温度低下が抑制される。また、除霜運転中における圧縮機の吸入冷媒状態は、常に過熱状態となる。
【００３１】
また、加熱運転時においては、放熱器で凝縮した冷媒が補助熱交換器に流入して、さらに温水と熱交換されるので、凝縮能力が向上して圧縮機の吐出圧力が低下する。
【００３２】
したがって、逆サイクル除霜運転時において、補助熱交換器により放熱器に流入する冷媒の乾き度が上昇し、放熱器を流通する温水の温度低下が抑制されるので、放熱器に小型で熱交換効率の高いプレート式の熱交換器を使用しても、凍結による破損が防止できるとともに、圧縮機への液戻りが抑制されて、機器の省エネ性とコンパクト性および信頼性が向上する。
【００３３】
また、補助熱交換器により加熱運転時の圧縮機吐出圧力が低下するので、加熱運転時においても機器の省エネ性が向上する。
【００３４】
第２の発明は、第１の発明において、前記第３熱交換器を流通する前記液体の平均流速が、前記第１熱交換器を流通する前記液体の平均流速よりも速いことを特徴とするものである。
【００３５】
これにより、逆サイクル除霜運転時において、補助熱交換器内を流れる温水の流速が速くなることで乱流効果が促進され、局所的な水温の低下がさらに抑制される。
【００３６】
したがって、上記第２の発明の効果に加え、逆サイクル除霜運転時における補助熱交換器内の水の凍結が、簡単な設計でより確実に防止できる。
【００３７】
第３の発明は、特に第１または第２の発明における前記第３熱交換器が、多重管式の熱交換器であることを特徴とするものである。
【００３８】
これにより、補助熱交換器の温水側流路を、熱交換器を構成する管のスラスト（軸）方向に対し、温水の流線がほぼ平行に近い構造に容易に設計できるので、温水流路の流速分布が小さく、局所的な死水域も生じにくい。
【００３９】
また、冷媒や液体の出入口部を除き、プレート式熱交換器のように流路中に溶接箇所を設ける必要がないので流路空間がシンプルな形状になる。したがって、温水側流路の一部が凍結して体積膨張した場合でも、氷が成長する空間が広いので、管壁を圧迫しにくい。
【００４０】
したがって、上記第１または第２の発明の効果に加え、補助熱交換器の凍結に対する耐力設計を容易に低コストで実現できる。
【００４１】
第４の発明は、第１〜３のいずれかの発明において、前記第１熱交換器と前記第３熱交換器の間の前記冷媒回路を流れる前記冷媒の過熱度を検出する過熱度検出手段と、少なくとも、前記圧縮機から吐出された前記冷媒を、前記流路切替手段を介して前記第２熱交換器に流入させる除霜運転を実行する制御装置と、を備え、前記制御装置は、前記除霜運転を実行中に、前記過熱度検出手段で検出された前記冷媒の過熱度が、所定の過熱度となるように前記圧縮機の回転数を調整することを特徴とするものである。
【００４２】
これにより、逆サイクル除霜時において、補助熱交換器を流出する冷媒の過熱度を確保するように冷媒の循環量を調整するので、放熱器に流入する冷媒は常にガスとなり、冷媒の顕熱変化による熱通過率の低下と冷媒の温度上昇とがあいまって、放熱器における熱流束が大幅に低下する。
【００４３】
したがって、上記第１〜３の発明の効果に加え、外気温度が低い条件や温水温度が低い条件などの幅広い条件においても、放熱器内および補助熱交換器内の温水が凍結することを確実に防止できる。
【００４４】
第５の発明は、第１〜４のいずれかの発明において、前記液体回路における前記第１熱交換器または前記第３熱交換器に流入する前記液体の温度を検出する温度センサを備え、前記制御装置は、前記除霜運転の実行中に、前記温度センサで検出された前記液体の温度が所定の温度未満である場合に、前記冷媒回路を循環する前記冷媒の循環量が減少するように前記圧縮機の回転数を調整することを特徴とするものである。
【００４５】
これにより、逆サイクル除霜時において、補助熱交換器から流出する水温が、凍結の可能性がある所定温度未満である場合には、冷媒循環量が低減されて、温水との熱交換量が減少し、さらに水温の低下が抑制される。
【００４６】
したがって、上記第１〜４の発明の効果に加え、温水回路の保有水量が少ないシステムにおいても、放熱器内および補助熱交換器内の温水が凍結することを確実に防止できる。
【００４７】
第６の発明は、第１〜５のいずれかの発明において、前記液体回路にポンプを備え、前記制御装置は、前記除霜運転の実行中に、前記温度センサで検出された前記液体の温度が所定の温度未満である場合に、前記液体回路を流れる前記液体の流量が増加するように前記ポンプの回転数を調整することを特徴とするものである。
【００４８】
これにより、逆サイクル除霜時において、補助熱交換器から流出する水温が凍結の可能性がある所定温度未満である場合は、温水の流量が増加されて、放熱器を流通する温水の平均温度が上昇する。
【００４９】
したがって、上記第１〜５の発明の効果に加え、温水回路や利用側端末の水回路抵抗が大きいシステムにおいても、放熱器内および補助熱交換器内の温水が凍結することを確実に防止できる。
【００５０】
以下、本発明の実施の形態について、図面を参照しながら説明する。なお、この実施の形態によって本発明が限定されるものではない。
【００５１】
（実施の形態１）
図１は、本発明の第１の実施の形態における温水生成装置の概略構成図を示すものである。図１において、温水生成装置１Ａは、冷媒を循環させる冷媒回路２と、温水経路３ａと、制御装置４と、を備えている。冷媒としては、例えば、Ｒ４０７Ｃ等の非共沸混合冷媒、Ｒ４１０Ａ等の擬似共沸混合冷媒、または単一冷媒等を用いることができる。温水経路３ａは、温水生成装置１Ａの外部に配置された利用側放熱器３２と配管で接続されることにより温水回路３を形成する。なお、温水生成装置１Ａと利用側放熱器３２とを合わせて、循環式温水暖房システムが構築される。
【００５２】
冷媒回路２は、圧縮機２１、放熱器（プレート式の第１熱交換器）２２、膨張弁（減圧装置）２３および蒸発器（第２熱交換器）２４が配管により環状に接続されて構成されている。本実施の形態では、放熱器２２と膨張弁２３の間に補助熱交換器（第３熱交換器）２５が設けられている。補助熱交換器２５は図２のような二重管式の熱交換器であり、内側の流路に冷媒回路２内を循環する冷媒が流通し、外側の流路に温水回路３を流れる温水が流通する構成となっている。また、冷媒回路２には、温水を生成する加熱運転と除霜運転を切り換えるための四方弁（流路切替手段）２６が設けられている。さらに、蒸発器２４と圧縮機２１の間に、気液分離を行うアキュムレータ２７が設けられている。
【００５３】
本実施の形態では、室外ファン２８により蒸発器２４に室外の空気を送風し、蒸発器２４を流通する冷媒に吸熱させるとともに、放熱器２２および補助熱交換器２５が、冷媒と水との間で熱交換を行わせて水を加熱する熱交換器となって温水を生成し、生成した温水を暖房や給湯に利用する構成となっている。
【００５４】
具体的には、放熱器２２と、補助熱交換器２５と、ポンプ３１とが備えられた温水回路３に、例えば貯湯タンクやファンコンベクター等の利用側放熱器３２が配管により環状に接続され、放熱器２２および補助熱交換器２５で加熱された温水がポンプ３１により温水回路３を循環し、利用側放熱器３２で放熱されて蓄熱や暖房が行われる。
【００５５】
図１では、通常の加熱運転時の冷媒の流れ方向を実線矢印で示している。以下、加熱運転における冷媒の状態変化を説明する。
【００５６】
圧縮機２１から吐出された高圧冷媒は、四方弁２６を介して放熱器２２に流入し、放熱器２２を通過する水に放熱する。放熱器２２から流出した高圧冷媒は、補助熱交換器２５に流入し、さらに補助熱交換器２５を通過する水に放熱する。補助熱交換器２５から流出した高圧冷媒は、膨張弁２３によって減圧されて膨張した後に、蒸発器２４に流入する。蒸発器２４に流入した低圧冷媒は、ここで空気から吸熱する。蒸発器２４から流出した低圧冷媒は、再度、圧縮機２１に吸入される。
【００５７】
しかし、このように温水生成運転をおこなうと空気中の水分等が蒸発器２４で氷結して着霜し、蒸発器２４の伝熱性能低下による加熱能力低下や成績係数の低下が生じる。このような場合、外気温度や運転時間または蒸発器の温度などから着霜度合いを判断し、霜を冷媒の熱で融解して除去する除霜運転を実施する必要がある。
【００５８】
除霜方式のうち、除霜時間が短く、効率の良い方式の代表的なものとしては、四方弁２６を切り替えて冷媒の循環方向を図１中の破線矢印に示す方向に逆転させ、圧縮機２１から吐出された高温高圧のガス冷媒を蒸発器２４に導入し、その凝縮熱で霜を融解する逆サイクル除霜がある。
【００５９】
しかし、一般的な冷凍サイクルの逆サイクル除霜中においては、放熱器２２に流入する冷媒温度はマイナス温度域になることが殆どであり、放熱器２２に流入する温水の温度が低下した場合には、放熱器２２内で水が凍結する可能性がある。特に放熱器２２がプレー
ト式の熱交換器である場合は、図２中の斜線部で示すような水側流路における流速が遅い死水域部分が凍結しやすいことが知られている。また、溶接箇所が多く、複雑な流路形状であるプレート式熱交換器の水側流路内部で凍結が生じた場合は、水の体積膨張でプレートが圧迫され、最悪の場合破損することがある。
【００６０】
このように、放熱器に小型で高性能なプレート式の熱交換器を使用する場合は、温水の凍結を防止するために、逆サイクル除霜と比較して除霜時間が長く、運転効率の低い順サイクル（暖房サイクル）による除霜運転の実施や、水温条件などの運転可能な範囲を限定するなどの対応が必要となり、省エネ性や利便性が低下するという特有のデメリットがある。
【００６１】
そこで、本実施の形態では、詳しくは後述するが、制御装置４は、温水生成装置１Ａが除霜モードの開始判断後に、まずは四方弁２６を逆サイクル除霜モード側に切り替えて運転し、補助熱交換器２５を流出する冷媒が所定の過熱度となるように圧縮機２１の回転数を調整するとともに、補助熱交換器２５を流出する温水の温度が凍結の可能性がある温度未満となった場合に、圧縮機２１とポンプ３１の回転数を低下させながら除霜運転を実行する。
【００６２】
これにより、図１中の破線矢印に示すように、圧縮機２１から吐出された高圧冷媒は四方弁２６を介して蒸発器２４に流入し、堆積した霜に放熱して霜を融解する。そして、蒸発器２４から流出した液冷媒は、膨張弁２３を通り補助熱交換器２５に流入する。ここで補助熱交換器２５を流通する低温の液冷媒は、温水回路３を循環する比較的高温の温水から吸熱するので、冷媒のエンタルピーが図４中ａ点からｂ点のように増加し、飽和ガス状態もしくは加熱状態で補助熱交換器２５から流出する。
【００６３】
補助熱交換器２５を流出したガス冷媒は放熱器２２に流入し、さらに温水から吸熱することでエンタルピーが図４中ｂ点からｃ点のように増加し、温水温度付近の過熱冷媒となって再び圧縮機２１に戻る。したがって、放熱器２２内を流通する冷媒は顕熱変化となるので、冷媒の平均温度は高く熱通過率は小さくなり、放熱器内部の水の凍結が抑制される。
【００６４】
また、温水回路３において補助熱交換器２５を流出する温水の温度が低下した場合は、予め実験結果などから得られた凍結する可能性のある温度まで低下する前に、冷媒の循環量が低下して冷媒温度が上昇するとともに、温水の循環量が増加して温水の温度と流速が上昇するので、補助熱交換器２５側の凍結も抑制される。
【００６５】
さらに、補助熱交換器２５は二重管式の熱交換器であるので、図５のように温水側流路の流速分布の偏りが小さく、すなわち、プレート式の第１熱交換器と比較して、液体の平均流速が速くなるので、局所的な死水域が生じにくく、凍結が抑制される。
【００６６】
以下、運転制御の動作について説明する。冷媒回路２には、通常の加熱運転時において蒸発器２４に流入する冷媒の温度（蒸発温度）Ｔｅｉを検出する蒸発温度センサ６１と、除霜運転時において補助熱交換器２５から流出する冷媒の過熱度（出口過熱度）ＳＨを検出する過熱度検出装置５１が設けられている。過熱度検出装置５１は、具体的には冷媒の圧力と温度を検出し、検出した温度と検出した圧力の飽和温度との差分から過熱度を算出するものである。ここで、冷媒の飽和温度は冷媒物性の式から算出する。また、温水生成装置１Ａには室外の空気温度（外気温度）Ｔａｏを検出する外気温度センサ６２が設けられている。さらに、温水回路３には補助熱交換器２５から流出する温水の温度（出水温度）Ｔｗｏを検出する温度センサ６３が設けられている。
【００６７】
本実施の形態では、制御装置４は、各種のセンサ５１、６１、６２、６３で検出される検出値などに基づいて、圧縮機２１と室外ファン２８およびポンプ３１の回転数、四方弁２６の切り換え、ならびに膨張弁２３の開度を動作させる。
【００６８】
次に、除霜運転時における制御装置４の制御を図６に示すフローチャートを参照して詳細に説明する。
【００６９】
まず、制御装置４は、通常の加熱運転時に蒸発温度センサ６１で検出した蒸発器入口温度Ｔｅｉと、外気温度センサ６２で検出した外気温度と、前回の除霜運転終了からの加熱運転時間に基づいて除霜条件が成立するか否かを監視しており、除霜条件が成立（ステップＳ１）すると、除霜運転に移行する。
【００７０】
除霜運転において制御装置４は、四方弁２６を逆サイクル除霜側に切り替えるとともに、室外ファン２８を停止させて、圧縮機２１を所定の回転数で運転する。（ステップＳ２）。その後、過熱度検出装置５１で出口過熱度ＳＨを検出するとともに温度センサ６３で出水温度Ｔｗｏを検出する（ステップＳ３）。
【００７１】
ついで制御装置４は、除霜運転中において、温度センサ６３で検出した出水温度Ｔｗｏと、予め設定された温水の凍結判定温度Ｔｗｆとを比較し、温水が凍結するか否かを判断（ステップＳ４）する。出水温度Ｔｗｏが凍結判定温度Ｔｗｆ以上の場合（ステップＳ５でＹＥＳ）は温水が凍結しない状態であると判断し、出口過熱度ＳＨが所定の過熱度になるように圧縮機２１の回転数を調整する（ステップＳ８）。
【００７２】
一方、出水温度Ｔｗｏが凍結判定温度Ｔｗｆ未満の場合（ステップＳ４でＮＯ）は温水が凍結する可能性があると判断し、ポンプ３１の回転数を所定量増加（ステップＳ６）するとともに、圧縮機２１の回転数を所定量減少する（ステップＳ７）。
【００７３】
ここで、温水の凍結判定温度Ｔｗｆは予め実験的に導出し、凍結しない温度を設定すればよい。さらに、例えば、Ｔｗｆ＝ｆ（Ｔａｏ）のように外気温度の関数として設定しておけば、放熱器２２に流入する冷媒温度の影響を考慮することができ、より凍結防止の精度が向上する。
【００７４】
その後、制御装置４は蒸発温度センサ６１で蒸発温度Ｔｅｉを検出し（ステップＳ８）、蒸発温度Ｔｅｉと、外気温度に基づいて予め設定された除霜終了温度Ｔｄｅとを比較し、除霜終了条件が成立するか否かを判断する（ステップＳ９）。蒸発温度Ｔｅｉが除霜終了温度Ｔｄｅ未満の場合（ステップＳ９でＮＯ）は霜が残っていると判断し、ステップＳ３に戻り、除霜運転を継続する。一方、蒸発温度Ｔｅｉが除霜終了温度Ｔｄｅ以上の場合（ステップＳ９でＹＥＳ）は霜が完全に融解したと判断し、除霜運転を終了する。そして、再び通常の加熱運転を開始する。
【００７５】
以上のように、本実施の形態においては、冷媒回路２において、圧縮機２１、放熱器２２、補助熱交換器２５、膨張弁２３、蒸発器２４、四方弁２６と、過熱度検出装置５１と、温水回路３において、ポンプ３１と、補助熱交換器２５から流出する温水の温度を検出する温度センサ６３と、さらに、制御装置４と、を備えた構成であり、制御装置４は、除霜運転の開始判断後に、逆サイクル除霜を実施し、補助熱交換器２５から流出する冷媒の過熱度を所定の過熱度となるように圧縮機２１の回転数を調整するとともに、補助熱交換器２５から流出する水温が凍結の可能性がある温度未満である場合には、圧縮機の回転数を減少させて冷媒循環量を低減させるとともに、ポンプ３１の回転数を増加させて温水の流量を増加させる。
【００７６】
これによって、除霜運転中における放熱器２２と補助熱交換器２５を流通する温水の凍結を抑制することができ、機器の信頼性が向上する。
【００７７】
なお、本実施の形態では、過熱度検出装置５１は、冷媒の圧力と温度を検出して過熱度ＳＨを算出しているが、過熱度は補助熱交換器２５の冷媒側出口温度と冷媒側入口温度との差温を算出してもよい。
【００７８】
また、温度センサ６３により出水温度Ｔｗｏを検出して温水の凍結判断をしているが、凍結判断は、例えば、補助熱交換器２５の入り口側温水温度でもよいし、補助熱交換器２５本体や放熱器２２本体の温度を検出してもよい。また、補助熱交換器２５に流入する温水の温度と出水温度Ｔｗｏの温度差で判断してもよい。この場合は補助熱交換器２５や温水回路３における補助熱交換器２５の入口部に温度センサを追加し、その温度差と判断基準となる閾値とを比較判断すればよい。また、閾値は、予め実験的に導出した値を設定すればよい。
【００７９】
また、本実施の形態では補助熱交換器２５の内側流路を冷媒、外側流路を温水としたが、流路は逆に構成してもよい。また、補助熱交換器２５は、必ずしも二重管熱交換器である必要はなく、たとえば三重管構造でもよいし、冷媒管と温水管を溶接などで接触させた構造でもよい。
【００８０】
さらに、本実施の形態ではポンプ３１により温水の循環量を調整しているが、温水回路３中に流量調整弁を設け、温水の循環量を調整してもよい。
【００８１】
さらに、本発明の減圧手段は、必ずしも膨張弁である必要はなく、キャピラリーチューブでもよいし、膨張する冷媒から動力を回収する膨張機であってもよい。この場合、例えば、膨張機と連結された発電機によって負荷を変化させることにより、膨張機の回転数を制御すればよい。
【産業上の利用可能性】
【００８２】
本発明は、冷凍サイクル装置によって温水を生成し、その温水を暖房や給湯に利用する温水生成装置に特に有用である。
【符号の説明】
【００８３】
１Ａ  温水生成装置
２  冷媒回路
３  温水回路（液体回路）
３ａ  温水経路（液体経路）
４  制御装置
２１  圧縮機
２２  放熱器（第１熱交換器）
２３  膨張弁（減圧装置）
２４  蒸発器（第２熱交換器）
２５  補助熱交換器（第３熱交換器）
２６  四方弁（流路切替手段）
３１  ポンプ
５１  過熱度検出装置（過熱度検出手段）
６３  温度センサ
【図１】
2015172452.tif 000003
【図２】
2015172452.tif 000004
【図３】
2015172452.tif 000005
【図４】
2015172452.tif 000006
【図５】
2015172452.tif 000007
【図６】
2015172452.tif 000008
【図７】
2015172452.tif 000009